(57)【特許請求の範囲】
【請求項１】
自車両のシャシフレーム上に傾動およびスライド移動可能に設けられて地上に降ろされるとともに前記シャシフレームの後端よりも荷台前端が自車両前後方向の後方まで移動される荷台を備える貨物自動車に用いられ、前記荷台を自車両の後方にスライド移動させるときに地面に接地して前記荷台を支持する荷台支持脚であって、
当該荷台支持脚は、前記荷台側にガイドローラを介して支持されてガイドローラの転動により荷台に対して自車両前後方向に相対的にスライド移動するベースフレームと、該ベースフレームに自車両幅方向を向く軸まわりに支持脚本体を回動可能に連結されたリンク機構と、該リンク機構と前記シャシフレームとを連結する連結リンクと、前記リンク機構を回動させて、前記荷台の裏面に沿って前記支持脚本体を倒伏させた倒伏姿勢と、前記荷台裏面から下方に向けて前記支持脚本体を張り出させて地面に接地可能な起立姿勢とに切換可能な起伏切換機構としての油圧シリンダとを有することを特徴とする貨物自動車用荷台支持脚。
【請求項２】
前記リンク機構は、車両前方側の縦リンクと、車両後方側の支持脚フレームと、これら縦リンクおよび支持脚フレームを繋ぐ横リンクとを備えた四節の並行リンクからなり、
前記支持脚フレームの後方端部にバンパが付設されており、
前記油圧シリンダは、前記起立姿勢にあっては、前記リンク機構の並行リンクを広げる方向に回動させて前記連結リンクと前記横リンクとを前記荷台裏面と平行な一直線状に位置させることを特徴とする請求項１に記載の貨物自動車用荷台支持脚。
【請求項３】
前記倒伏姿勢において、前記荷台の荷重を地面に伝えて前記リンク機構と地面との直接接地を防止する補助脚が取付けられていることを特徴とする請求項１または２に記載の貨物自動車用荷台支持脚。
【請求項４】
自車両のシャシフレーム上に傾動およびスライド移動可能に設けられた傾斜フレームと、該傾斜フレーム上にスライド移動可能に搭載されるとともに傾斜フレームに案内されて地上に降ろされる荷台と、前記荷台を自車両の後方にスライド移動させるときに前記荷台を支持する荷台支持脚とを備える貨物自動車であって、
前記荷台支持脚として、請求項１〜３のいずれか一項に記載の貨物自動車用荷台支持脚を備えていることを特徴とする貨物自動車。
【発明の詳細な説明】
【技術分野】
【０００１】
本発明は、車両等を積載するために、荷台を後方へスライド移動させるとともに荷台を自車両の後方に地上まで降ろす貨物自動車に好適に用い得る荷台支持脚およびこれを備える貨物自動車に関する。
【背景技術】
【０００２】
この種の貨物自動車の荷台支持脚は、後方へスライド移動される荷台が自車両の後方に片持ちで支持されることを防ぐために必要である。しかし、荷台を自車両の後方に地上まで略水平に降ろしたときには、地上と荷台との間に格納しなければならない。そのため、この種の貨物自動車用荷台支持脚は、折畳み機構を有している。
折畳み機構を有する荷台支持脚としては、例えば特許文献１に記載の技術が知られている。同文献記載の技術は、車両後方のバンパを兼ねた折畳み式の荷台支持脚であって、そのバンパ本体を後方へ突出した突出位置と下方の退避位置との間を移動可能な折畳み機構を有している。同文献記載の貨物自動車は、荷台を後退させる傾斜フレームを備え、この傾斜フレームが後方に下傾しながら荷台を後退させる際に、バンパを傾斜フレームと干渉しない退避位置に移動させるようになっている。なお、この折畳み機構は、傾斜フレームとバンパ支持部材とを連結しており、荷台に対しては連結されていない。
【０００３】
ところで、従来、この種の貨物自動車では、例えば図９に例示するように、自車両のシャシフレーム２上に傾動支軸９まわりで傾動可能かつスライド移動可能に設けられた傾斜フレーム７と、この傾斜フレーム７上にスライド移動可能に搭載されるとともに傾斜フレーム７に案内されて地上に降ろされる荷台３とを備える貨物自動車１００が知られている（例えば特許文献２参照）。
【０００４】
この貨物自動車１００では、図９に示すように、荷台３を自車両の後方に降ろした状態では、荷台３の前端のみが案内ローラ８を介して傾斜フレーム７に連結された状態となる。そのため、荷台３を傾斜フレーム７上をスライド移動させて、荷台３を地面に対して昇降させる際に、荷台３が傾斜フレーム７に対して左右に振られると、荷台３の幅方向の位置が傾斜フレーム７に対して位置ずれしてしまうことがある。
そこで、特許文献２に記載の技術では、荷台の途中部分にガイド部材を設け、このガイド部材を、荷台が傾斜フレーム上を前方へスライド移動しているときに傾斜フレームに当接させ、これにより、傾斜フレームに対する荷台の幅方向の位置を所期の位置に寄せるように案内することで上記幅方向の位置ずれを矯正している。
【先行技術文献】
【特許文献】
【０００５】
【特許文献１】特開２００９−６７２９９号公報
【特許文献２】特開平０５−３３８４８５号公報
【発明の概要】
【発明が解決しようとする課題】
【０００６】
しかしながら、特許文献２に記載の技術は、傾斜フレームに対する荷台の幅方向の位置ずれを矯正できるものの、荷台を自車両の後方に降ろしたときに、荷台前端のみが傾斜フレームに連結されているという構造自体は従来と変るものではない。そのため、同文献記載の技術は、いわば対処療法であって、荷台後方に横荷重が作用すると荷台が斜めになるという問題自体は解決されていない。したがって、荷台の幅方向の位置ずれ量が大きな状態で荷台を格納すると、上記ガイド部材で幅方向の位置ずれを矯正する際に過大な力がガイド部材等に作用するため、位置ずれの程度によってはガイド部材等の破損や、これに伴う格納不具合が発生するおそれがある。
【０００７】
このような問題は、特許文献１に記載の技術においても解決されていない。つまり、仮に特許文献１に記載の技術に特許文献２に記載の技術を盛り込んだとしても、特許文献１に記載の技術においても、荷台支持脚の折畳み機構は、傾斜フレームとバンパ支持部材とを連結しており、荷台に対しては連結されていないため、荷台後方に横荷重が作用すると荷台が斜めになり、幅方向の位置ずれを抑制することができないからである。
そこで、本発明は、このような問題点に着目してなされたものであって、この種の貨物自動車において、荷台を自車両の後方に降ろした状態で、荷台後方に横荷重が作用した場合であっても、荷台の幅方向の位置ずれを抑制することができる荷台支持脚およびこれを備える貨物自動車を提供することを目的としている。
【課題を解決するための手段】
【０００８】
上記課題を解決するために、本発明のうち第一の発明は、例えば図１ないし４に例示するように、荷台３が、自車両のシャシフレーム２上に傾動およびスライド移動可能に設けられて地上に降ろされるとともに前記シャシフレーム２の後端よりも荷台前端が自車両前後方向の後方まで移動される貨物自動車１に用いられ、前記荷台３を自車両の後方にスライド移動させるときに地面に接地して前記荷台３を支持する荷台支持脚（１０）であって、当該荷台支持脚（１０）は、前記荷台３側にガイドローラ１９を介して支持されてガイドローラ１９の転動により荷台３に対して自車両前後方向に相対的にスライド移動するベースフレーム２０と、該ベースフレーム２０に自車両幅方向を向く軸まわりに支持脚本体を回動可能に連結されたリンク機構１４と、該リンク機構１４と前記シャシフレーム２とを連結する連結リンク１６と、前記リンク機構１４を回動させて、前記荷台３の裏面に沿って前記支持脚本体を倒伏させた倒伏姿勢と、前記荷台３裏面から下方に向けて前記支持脚本体を張り出させて地面に接地可能な起立姿勢とに切換可能な起伏切換機構としての油圧シリンダ４０とを有することを特徴としている。
【０００９】
第一の発明に係る貨物自動車用荷台支持脚によれば、荷台のスライド移動時には、従来の支持脚同様に、支持脚本体を地面に接地させ、これにより、荷台の荷重を受けて各部への作用力を軽減することができる。
ここで、荷台が略水平に地面に降りるタイプの従来の貨物自動車は、図９に例示したように、荷台３を自車両の後方に地上まで降ろしたときは、荷台３前端と傾斜フレーム７後端のみが継がっているため、横方向の力に弱いものであった。
【００１０】
これに対し、この荷台支持脚を備える貨物自動車によれば、図１に例示するように、ベースフレーム２０が荷台側にガイドローラ１９を介して支持されてガイドローラ１９の転動により荷台３に対して自車両前後方向に相対的にスライド移動するようになっており、このベースフレーム２０に、支持脚本体を回動可能に連結するリンク機構１４介して連結リンク１６がシャシフレーム２へと繋がっているので、荷台３への横荷重を荷台支持脚（１０）を介してシャシフレーム２に伝えることができる。
そのため、荷台後方に横荷重が作用しても、荷台前端とシャーシ後端との連絡に加え、荷台支持脚でも横荷重を受けることができる。したがって、横荷重を受けても荷台の幅方向の位置ずれを抑制することができる。
【００１１】
ここで、第一の発明に係る貨物自動車用荷台支持脚において、前記リンク機構は、車両前方側の縦リンクと、車両後方側の支持脚フレームと、これら縦リンクおよび支持脚フレームを繋ぐ横リンクとを備えた四節の並行リンクからなり、前記支持脚フレームの後方端部にバンパが付設されており、前記油圧シリンダは、前記起立姿勢にあっては、前記リンク機構の並行リンクを広げる方向に回動させて前記連結リンクと前記横リンクとを前記荷台裏面と平行な一直線状に位置させることは好ましい。
このような構成であれば、リンク機構は、起立姿勢時には連結リンクを介してシャシフレームに荷台裏面と平行な一直線状に位置するように連結されているので、バンパへの衝突力を連結リンクを介してシャーシに伝えることができる。そして、折畳み可能な四節の並行リンクからなるリンク機構にバンパを取付けているので、走行時にはバンパを所定の位置に保持し、荷台を地上に降ろすときは、起伏切換機構を駆動して支持脚本体をリンク機構によって折りたたむことで、荷台を地面に略水平となる位置まで降ろすことができる。
【００１２】
また、第一の発明に係る貨物自動車用荷台支持脚において、前記倒伏姿勢において、前記荷台の荷重を地面に伝えて前記リンク機構と地面との直接接地を防止する補助脚が取付けられていることは好ましい。このような構成であれば、荷台が地上に降ろされ、例えば略水平となるときに、この補助脚により荷台の荷重を支持することができる。そのため、リンク機構各部への無理な作用力を防止することができる。
【発明の効果】
【００１３】
上述のように、本発明によれば、荷台を自車両の後方に降ろした状態で荷台後方に横荷重が作用した場合であっても、荷台の幅方向の位置ずれを抑制することができる荷台支持脚を提供することができる。
【図面の簡単な説明】
【００１４】
【図１】本発明に係る貨物自動車用荷台支持脚を備える貨物自動車の一実施形態の模式図であり、同図（ａ）はその平面図、（ｂ）は側面図である。
【図２】本発明に係る貨物自動車用荷台支持脚を備える貨物自動車の第一実施形態である車両運搬車の側面図である。
【図３】図２での要部詳細図（Ａ矢視図）である。
【図４】図３での要部詳細図（Ｂ矢視図）である。
【図５】第一実施形態の荷台支持脚およびこれを備える車両運搬車の動作を説明する図（（ａ）〜（ｅ））であり、同図（ａ）は荷台支持脚が起立姿勢のときの接地状態を示している。また、同図（ｂ）は荷台支持脚が起立姿勢のときに地上から離間した状態を示し、（ｃ）は荷台支持脚が起立姿勢から倒伏姿勢に移行する状態を示し、（ｄ）は荷台支持脚が倒伏姿勢の状態を示し、（ｅ）はその後に、荷台を自車両の後方に地上まで降ろした状態を示している。
【図６】図５（ｃ）での要部拡大図である。
【図７】図５（ｄ）での要部拡大図である。
【図８】図５（ｅ）での要部拡大図である。
【図９】従来の貨物自動車用突入防止装置を備える貨物自動車の一例の模式図であり、同図（ａ）はその平面図、（ｂ）は側面図である。
【発明を実施するための形態】
【００１５】
以下、本発明の第一実施形態について、図面を適宜参照しつつ説明する。
図２は、本発明に係る貨物自動車用荷台支持脚（以下、単に「荷台支持脚」ともいう）を備える貨物自動車の第一実施形態である車両運搬車の側面図である。
同図に示すように、この車両運搬車１は、そのシャシフレーム２上に荷台３を備えている。この荷台３の前部には、いわゆる鳥居５が一体に設けられており、また、荷台３の後部には、後煽り４が装備されている。この後煽り４は、前後に回動可能に取付けられており、同図に示す垂直な閉じ位置、および後方に回動して車両を乗り入れるときのスロープとなる開き位置（不図示）のそれぞれに位置可能になっている。
【００１６】
そして、この車両運搬車１は、その荷台３が、シャシフレーム２上に格納した同図に示す格納位置、およびその格納位置から荷台３を自車両の後方に地上にまで降ろした乗込位置（図５（ｅ）参照）までスライド移動可能な荷台昇降装置（不図示）を装備している。つまり、荷台３は、自車両のシャシフレーム２上に傾動およびスライド移動可能に設けられるとともに地上に降ろされるようになっており、荷台３を乗込位置に位置させて車両を積載するとともに、その積載した車両を荷台３とともに格納位置に格納して運搬可能である。
【００１７】
ここで、この荷台３には、同図に示すように、その後方部に荷台支持脚１０が設けられている。この荷台支持脚１０は、荷台３を自車両の後方にスライド移動させるときに支持脚本体１２を地面に接地させて荷台３を支持するものである。さらに、この荷台支持脚１０は、その支持脚本体１２を荷台３に対し自車両幅方向を向く軸まわりに回動させることで、荷台３の裏面に沿って倒伏させた倒伏姿勢Ｔ（図８参照）と、荷台３の裏面から下方に向けて張り出させた起立姿勢Ｋ（図４参照）とのそれぞれの姿勢に切換可能になっている。なお、この荷台支持脚１０には、バンパ３０が付設されている。このバンパ３０は、他車両等の後方からの突入を防止するための突入防止部材であり、法規上必要な位置に位置するように設けられている。
【００１８】
以下、この荷台支持脚１０について、より詳しく説明する。
この荷台支持脚１０は、図３および図４に示すように、荷台３側には、車両幅方向に離間した一対のベースフレーム２０が車両前後方向に沿って設けられている。各ベースフレーム２０は、車両前後方向に離間した一対のガイドローラ１９を介して荷台３側に支持されており、これら４つのガイドローラ１９の転動により、荷台３のスライド移動とは相対的にスライド移動するようになっている。なお、一対のベースフレーム２０は、連結フレーム２２によって相互に連結されており、一体で移動する。
【００１９】
そして、このベースフレーム２０にリンク機構１４が連結されている。このリンク機構１４は、四節の並行リンクからなり、車両前方側の起伏縦リンク１７と、車両後方側の支持脚フレーム（リンク）１５と、これら起伏縦リンク１７および支持脚フレーム１５を繋ぐ起伏横リンク１８とを備えている。これらのリンク１７，１５，１８は、上記ベースフレーム２０同様に、車両幅方向に離間して一対をなしており、一対のリンク１７，１５，１８相互は、連結フレーム２２によって相互に連結されて一体をなしている。
【００２０】
そして、これらのリンク１７，１５，１８は、その両端が、上記ベースフレーム２０に自車両幅方向を向く軸まわりに回動可能に枢支されている。また、上記バンパ３０が車両後方側の支持脚フレーム１５に固定されており、さらに、起伏横リンク１８には一対の支持脚本体１２が固定されている。この一対の支持脚本体１２は、支持脚フレーム１５とは直交方向に且つ車両下方に張り出すように車両幅方向に離間して取り付けられており、その先端に、転動輪として支持脚ローラ１３が転動可能にそれぞれ付設されている。
【００２１】
さらに、このリンク機構１４に対して、一本の油圧シリンダ４０が取付けられている。この油圧シリンダ４０は、その一端（ロッド先端）が一対の支持脚フレーム１５上部側を繋ぐ駆動用フレーム２１の中央に固定され、他端（チューブ基端）が一対の起伏横リンク１８を繋ぐ車両前方側の駆動用フレーム１１に固定されている。これにより、油圧シリンダ４０が起伏切換機構になっており、この油圧シリンダ４０を伸長させると、リンク機構１４の並行リンクを折りたたむ方向に回動させて、荷台３の裏面に沿って一対の支持脚本体１２を倒伏させた倒伏姿勢Ｔとなる。また、油圧シリンダ４０を短縮させると、リンク機構１４の並行リンクを広げる方向に回動させて、荷台３裏面から一対の支持脚本体１２を下方に向けて張り出させて地面ＧＬに接地可能な起立姿勢Ｋとなる。
ここで、この起立姿勢Ｋにあっては、図４に示すように、連結リンク１６と起伏横リンク１８とが一直線状に位置するように構成されている。これにより、連結リンク１６と起伏横リンク１８とが後方からの突入による力に抗するようにシャシフレーム２側に力を逃がすようにバンパ３０を支持している。
【００２２】
そして、この荷台支持脚１０は、上述したリンク機構１４に対してその起伏横リンク１８の車両前方側の端部とシャシフレーム２とを連結リンク１６によって連結している。なお、この連結リンク１６についても、その両端が自車両幅方向を向く軸まわりに回動可能に枢支されている。さらに、この連結リンク１６に対して、その車両後方側の端部に、一対の補助脚２４が固定されている。一対の補助脚２４は、連結リンク１６とは直交方向に且つ車両下方に張り出すように車両幅方向に離間して取り付けられており、その先端に、転動輪として補助脚ローラ２６が転動可能にそれぞれ付設されている。
【００２３】
次に、この荷台支持脚１０およびこれを備える車両運搬車１の動作並びに作用効果について説明する。
この荷台支持脚１０は、図５に示すように、荷台３が自車両の後方に降ろされる際に、支持脚および補助脚として用いることができるものである。詳しくは、この車両運搬車１は、荷台昇降装置を駆動することによって、図２に示す荷台３の格納位置から、図５（ｅ）に示すように、荷台３を自車両の後方に降ろすことができる。このとき、上述した荷台支持脚１０によれば、油圧シリンダ４０の駆動を適宜制御することによって所望のタイミングで支持脚本体１２を倒伏姿勢Ｔないし起立姿勢Ｋに切換可能である。
【００２４】
さらに、この荷台支持脚１０は、支持脚本体１２の下部側に、支持脚ローラ１３が設けられているので、図５（ａ）に示すように、支持脚本体１２（支持脚ローラ１３）を地面に接地させ、これにより、荷台３の途中部分を、荷台３をスライド移動させつつ支えることができる。したがって、荷台３の荷重を受けて、荷台３を支持する各部分の負担や、荷台３自体が片持ち状態で車両後方に長く張り出すことによる曲がり等の作用力の負担を軽減することができる。そして、図５（ｂ）に示すように、荷台３が自車両の後方に降ろされる位置まで後退したならば、図５（ｃ）〜（ｄ）（および図６、図７）に示すように、油圧シリンダ４０伸長方向に駆動して、支持脚本体１２を倒伏側に回動させて倒伏姿勢Ｔとすることができる。
【００２５】
次いで、図５（ｅ）（および図８）に示すように、不図示の荷台昇降装置を更に駆動することによって、荷台３を自車両の後方に降ろした乗込位置までスライド移動させ、その後、後煽り４を後方に回動して（不図示）、車両を乗り入れるときのスロープとなる開き位置にし、積載する貨物である車両を積車することができる。また、初めに積車されていれば、車両を降ろすことができる。なお、上記乗込位置から格納位置まで車両を積み込む際には、上述した手順とは逆の手順によって、車両を積み込むことができる。
【００２６】
そして、この荷台支持脚１０は、支持脚フレーム１５にバンパ３０が付設されているので、図２、４に示す起立姿勢Ｋにあっては、このバンパ３０によって、他車両等の後方からの突入を防止することができる。さらに、起立姿勢Ｋにあっては、連結リンク１６と起伏横リンク１８とが一直線状に位置して後方からの突入による力に抗するようにシャシフレーム２側に力を逃がしてバンパ３０を支持するようになっているので、バンパ３０の強度を一層確実に確保することができる。
ここで、上述したように、荷台が略水平に地面に降りるタイプの従来の貨物自動車は、図９に例示したように、荷台３を自車両の後方に地上まで降ろしたときは、横方向の力に弱いものであった。
【００２７】
これに対し、この車両運搬車１によれば、荷台支持脚１０のベースフレーム２０が荷台３側に付設されており、このベースフレーム２０に、支持脚本体１２を回動可能に連結するリンク機構１４介して連結リンク１６がシャシフレーム２へと繋がっているので、荷台３への横荷重を荷台支持脚１０を介してシャシフレーム２に伝えることができる。
そのため、荷台３の後方に横荷重が作用しても、荷台３の前端とシャシフレーム２後端との連絡に加え、荷台支持脚１０でも横荷重を受けることができる（図８参照）。したがって、横荷重を受けても荷台の幅方向の位置ずれを抑制することができる。これにより、例えば車両の左右が傾斜地であるような場合の使用に一層有利である。
【００２８】
また、この荷台支持脚１０は、図５（ｅ）および図８に示すように、倒伏姿勢Ｔにおいて、荷台３の荷重を地面に伝える補助脚２４が取付けられているので、荷台３が地上に降ろされて略水平となるときに、この補助脚２４を取付けることにより荷台３の荷重を支持することができる。そのため、リンク機構１４各部への無理な作用力を防止することができる。換言すれば、地面形状により荷台支持脚１０のリンク機構１４と地面との直接接地を防止することができる。
【００２９】
以上説明したように、この貨物自動車用荷台支持脚によれば、荷台を自車両の後方に降ろした状態で、荷台後方に横荷重が作用した場合であっても、荷台の幅方向の位置ずれを抑制することができる。なお、本発明に係る貨物自動車用荷台支持脚は、上記実施形態に限定されるものではなく、本発明の趣旨を逸脱しなければ種々の変形が可能である。
例えば、上記実施形態では、荷台支持脚１０にバンパ３０を付設している例で説明したが、これに限定されず、荷台支持脚１０とバンパ３０とを別個に設けてもよい。しかし、バンパ３０は、法規上必要な位置が制限されるものであるから、部材の設置位置の取り合いや、コスト抑制の点に鑑みれば、荷台支持脚１０にバンパ３０を付設して一体構成とすることは好ましい。
【００３０】
また、例えば上記実施形態では、荷台支持脚１０に、支持脚本体１２に加えて、補助脚２４を設ける例で説明したが、これに限らず、補助脚２４を有しない構成としてもよい。しかし、荷台３が地上に降ろされて略水平となるときに、地面形状により荷台支持脚１０のリンク機構１４と地面との直接接地を防止する上では、荷台支持脚１０に、補助脚２４を設けることは好ましい。
【００３１】
また、例えば上記実施形態では、起立姿勢Ｋにあっては、連結リンク１６と起伏横リンク１８とが一直線状に位置するように構成された例で説明したが、これに限らず、支持脚本体１２を折畳みできれば、種々のリンク機構１４を採用することができる。しかし、荷台支持脚１０にバンパ３０を付設して一体構成としたときに、連結リンク１６と起伏横リンク１８とが後方からの突入による力に抗するようにシャシフレーム２側に力を逃がすようにバンパ３０を支持する上では、起立姿勢Ｋにて、連結リンク１６と起伏横リンク１８とが一直線状に位置するように構成することが好ましい。
【符号の説明】
【００３２】
１    車両運搬車（貨物自動車）
２    シャシフレーム
３    荷台
４    後煽り
５    鳥居
６    荷台縦根太
７    傾斜フレーム
８    案内ローラ
９    傾動支軸
１０    荷台支持脚
１１    駆動用フレーム
１２    支持脚本体
１３    支持脚ローラ
１４    リンク機構
１５    支持脚フレーム
１６    連結リンク
１７    起伏縦リンク
１８    起伏横リンク
１９    ガイドローラ
２０    ベースフレーム
２１    駆動用フレーム
２２    連結フレーム
２４    補助脚
２６    補助脚ローラ
３０    バンパ
４０    油圧シリンダ（起伏切換機構）
Ｔ    倒伏姿勢
Ｋ    起立姿勢
【図１】
0005543759.tif 000002
【図２】
0005543759.tif 000003
【図３】
0005543759.tif 000004
【図４】
0005543759.tif 000005
【図５】
0005543759.tif 000006
【図６】
0005543759.tif 000007
【図７】
0005543759.tif 000008
【図８】
0005543759.tif 000009
【図９】
0005543759.tif 000010